(57)【要約】【課題】光ディスクに追記または書換録画をする場合、光ディスクに記録されたディスクメニューを現在使用中のディスク記録装置のものに書換えなければ録画することができない仕様のときに、わずらわしい確認動作なく録画することができるディスク記録装置を提供する。【解決手段】光ディスクの操作用メニューが他社の場合に（ＳＴ１１）、初期設定メニューで予め光ディスクのディスクメニューをＤＶＤレコーダのものに入れ替えるかの承諾を受ける。承諾がオンになっていた場合には（ＳＴ１３のＹ）、書換確認（ＳＴ１５）をすることなく、光ディスクのディスクメニューを自動的に書換える（ＳＴ１４）。ディスクメニューを書換えると、録画が開始される（ＳＴ１２）。【選択図】図３
2007280482.tif 000002
【特許請求の範囲】
【請求項１】
装置本体にマウントされたＤＶＤにレーザ光を照射して、このＤＶＤにデータを記録する記録手段を備えたディスク記録装置において、
前記マウントしたＤＶＤに記録されているディスクメニューのＩＤ情報を表す第１のＩＤ情報と、前記ディスク記録装置に記憶されたディスクメニューのＩＤ情報を表す第２のＩＤ情報と、が合致するかを判断するＩＤ情報判断手段と、
前記ＤＶＤに記録されたディスクメニューおよび前記第１のＩＤ情報を、前記記録手段を用いて前記ディスク記録装置に記憶されたものに書換えるメニュー書換を行うメニュー書換手段と、
前記メニュー書換を行う旨の指示を予め受付けるメニュー書換受付手段と、
前記メニュー書換受付手段で前記メニュー書換を行う旨の指示を予め受付けた場合に、前記ＩＤ情報判断手段により判断した前記第１および第２のＩＤ情報が合致しないときは、前記メニュー書換を指示し、前記メニュー書換受付手段で前記メニュー書換を行う旨の指示を受付けていない場合に、前記ＩＤ情報判断手段により判断した前記第１および第２のＩＤ情報が合致しないときは、前記メニュー書換の指示を促す確認画面を出力して、ユーザにより前記指示が確認されると、前記メニュー書換を指示するメニュー書換指示手段と、を備えたディスク記録装置。
【請求項２】
装置本体にマウントされた光ディスクにレーザ光を照射して、この光ディスクにデータを記録する記録手段を備えたディスク記録装置において、
前記マウントした光ディスクに記録されているディスクメニューのＩＤ情報を表す第１のＩＤ情報と、前記ディスク記録装置に記憶されたディスクメニューのＩＤ情報を表す第２のＩＤ情報と、が合致するかを判断するＩＤ情報判断手段と、
前記光ディスクに記録されたディスクメニューおよび前記第１のＩＤ情報を、前記記録手段を用いて前記ディスク記録装置に記憶されたものに書換えるメニュー書換を行うメニュー書換手段と、
前記メニュー書換を行う旨の指示を予め受付けるメニュー書換受付手段と、
前記メニュー書換受付手段で前記メニュー書換を行う旨の指示を予め受付けた場合に、前記ＩＤ情報判断手段により判断した前記第１および第２のＩＤ情報が合致しないときは、前記メニュー書換を指示する、メニュー書換指示手段と、を備えたディスク記録装置。
【請求項３】
前記メニュー書換指示手段は、前記メニュー書換受付手段で前記メニュー書換を行う旨の指示を受付けていない場合に、前記ＩＤ情報判断手段により判断した前記第１および第２のＩＤ情報が合致しないときは、前記メニュー書換の指示を促す確認画面を出力して、ユーザにより前記指示が確認されると、前記メニュー書換を指示する、請求項２に記載のディスク記録装置。
【発明の詳細な説明】
【技術分野】
【０００１】
本発明は、光ディスクに記録されたデータを操作するためのディスクメニューを表示するディスク記録装置に関する。
【背景技術】
【０００２】
従来、再生、録画などのデータを操作するためのディスクメニューを表示する画面をテレビ受信装置などに出力して、操作を容易にするＤＶＤレコーダが実用化されており（特許文献１等）、各社のＤＶＤレコーダは、それぞれ独自のディスクメニューを内部に記憶している。また、光ディスクに画像を記録した場合には、ＤＶＤレコーダは予め定めたタイミング（例えばファイナライズする時やタイトルの記録終了時）でこのディスクメニューを光ディスクにコピーする。
【０００３】
このディスクに記録されたディスクメニューの一般情報は、光ディスク上のＶＲＭＩ＿ＧＩ（video recording manager information）に記録される。このＶＲＭＩ＿ＧＩには製造者ＩＤやメニューレイアウトＩＤなどが記録されている。製造者ＩＤは、製造業者各社に割り当てられた識別用ＩＤであり、メニューレイアウトＩＤは、この各社が用意している複数のメニューを区別するＩＤである。ＤＶＤレコーダにマウントされた光ディスクの製造者ＩＤ、メニューレイアウトＩＤが、このＤＶＤレコーダのものと異なる場合に、ＤＶＤレコーダの仕様として、ＤＶＤ−ＲＷ等の書換可能なディスクやＤＶＤ−Ｒなどの追記可能なディスクであっても、録画をすることができないとすることが可能である。この仕様では、この光ディスクに録画するためには、このディスクメニューと製造者ＩＤ、メニューレイアウトＩＤを現在使用中のＤＶＤレコーダのものに書換える必要がある。
【０００４】
この仕様を満たすため、従来、光ディスクに記録されたディスクメニューを現在使用中のＤＶＤレコーダに記憶するディスクメニューに書換えてよいかの承諾をユーザに選択させる選択画面を表示して、この書換の承諾の確認をしていた。この書換の承諾がされると、光ディスクに記録されたディスクメニューおよびこれらのＩＤが書換えられる。
【０００５】
また、メニュー画面のデータの生成等について、特許文献２等が開示されている。特許文献１では、統一されたフォーマットに準じながら安価にメニュー画面のデータ生成を行うため、メニュー項目を表す文字をサブピクチャーでなく、画像データとして作成するＤＶＤビデオ装置が開示されている。
【特許文献１】特開２００５−３３２５５３号公報
【特許文献２】特開２００３−９２７２０号公報
【発明の開示】
【発明が解決しようとする課題】
【０００６】
しかしながら、上述の従来技術では、ディスク記録装置に記憶するメニューに書換えてよいかをユーザに選択させる選択画面が毎回表示され、この確認操作がユーザにとってわずらわしく、即座に録画できない問題があった。
【０００７】
そこで、本発明は、このような問題に鑑み、光ディスクに追記または書換録画をする場合、光ディスクに記録されたディスクメニューを現在使用中のディスク記録装置のものに書換えなければ録画することができない仕様のときに、わずらわしい確認動作なく録画することができるディスク記録装置を提供する。
【課題を解決するための手段】
【０００８】
本発明は、上述の課題を解決するための手段を以下のように構成している。
【０００９】
（１）  装置本体にマウントされた光ディスクにレーザ光を照射して、この光ディスクにデータを記録する記録手段を備えたディスク記録装置において、
前記マウントした光ディスクに記録されているディスクメニューのＩＤ情報を表す第１のＩＤ情報と、前記ディスク記録装置に記憶されたディスクメニューのＩＤ情報を表す第２のＩＤ情報と、が合致するかを判断するＩＤ情報判断手段と、
前記光ディスクに記録されたディスクメニューおよび前記第１のＩＤ情報を、前記記録手段を用いて前記ディスク記録装置に記憶されたものに書換えるメニュー書換を行うメニュー書換手段と、
前記メニュー書換を行う旨の指示を予め受付けるメニュー書換受付手段と、
前記メニュー書換受付手段で前記メニュー書換を行う旨の指示を予め受付けた場合に、前記ＩＤ情報判断手段により判断した前記第１および第２のＩＤ情報が合致しないときは、前記メニュー書換を指示する、メニュー書換指示手段と、を備えた。
【００１０】
この構成で、「ディスクメニュー」とは、光ディスクに記録されたデータを操作するために表示器に表示するメニューをいう。追記型光ディスクまたは書換型光ディスクには、データの記録と同時に、前記光ディスクのデータを操作するためのディスクメニューが記録されている場合がある。本発明のディスク記録装置は、このディスクメニューＩＤがディスク記録装置のものと同一でなければ、データの記録をしないことが前提となっており、ＩＤ情報判断手段は、この光ディスクに記録されたディスクメニューの第１のＩＤ情報と、前記ディスク記録装置に記憶されたディスクメニューの第２のＩＤ情報が合致するかを判断する。
【００１１】
メニュー書換受付手段は、メニュー書換を行う旨の指示を予め受付ける。前記メニュー書換受付手段で予め前記メニュー書換を行う旨の指示を受付けた場合に、前記ＩＤ情報判断手段により判断した前記第１および第２のＩＤ情報が合致しないときは、メニュー書換手段は、光ディスクに記録されたディスクメニューおよびＩＤ情報を書換える。これにより、光ディスクへのデータ記録（例えば録画など）のときにユーザに毎回承諾を得なくともよいので、わずらわしい確認動作をすることなくデータを記録できる。
【００１２】
（２）  前記メニュー書換指示手段は、前記メニュー書換受付手段で前記メニュー書換を行う旨の指示を受付けていない場合に、前記ＩＤ情報判断手段により判断した前記第１および第２のＩＤ情報が合致しないときは、前記メニュー書換の指示を促す確認画面を出力して、ユーザにより前記指示が確認されると、前記メニュー書換を指示する。
【００１３】
前記ＩＤ情報判断手段により判断した前記第１および第２のＩＤ情報が合致しない場合に、ディスクメニューが勝手に書換えられると、ユーザが損害をこうむる恐れがある。そこで、この構成では、メニュー書換手段がデータの記録の都度、書換の指示を促す確認画面を出力してユーザにより前記指示が確認されると、前記メニュー書換を指示する。
【発明の効果】
【００１４】
光ディスクに追記または書換えてデータ（例えば、画像）を記録する場合、光ディスクに記録されたディスクメニューを現在使用中のディスク記録装置のものに書換えなければデータを記録することができない仕様のときに、わずらわしい確認動作なくデータを記録することができる。
【発明を実施するための最良の形態】
【００１５】
図１は、この発明の実施形態であるＤＶＤレコーダの主要部の構成を示すブロック図である。この実施形態のＤＶＤレコーダ１は、装置本体の動作を制御する制御部２と、装置本体にセットされているＤＶＤに記録するタイトル（番組）が入力される入力部３と、入力部３に入力されたタイトルについてＤＶＤに記録する記録データを生成する記録信号処理部４と、記録信号処理部４が生成した記録データをＤＶＤに記録する処理やＤＶＤに記録されているタイトルの記録データを読み取る記録／読取部５と、記録／読取部５がＤＶＤから読み取ったタイトルの記録データを処理する読取信号処理部６と、読取信号処理部６で処理された記録データに基づく再生信号を出力する出力部７と、ＤＶＤ毎に再生履歴を記憶する記憶部８と、装置本体に対する入力操作を受付ける操作部９と、を備えている。
【００１６】
この実施形態のＤＶＤレコーダ１は、ＤＶＤに対するタイトルの記録（録画）、およびＤＶＤに記録されているタイトルの再生を行う。この実施形態のＤＶＤレコーダ１にマウント可能なＤＶＤ１０は、書換可能なＤＶＤ−ＲＷなどや、追記可能な光ディスクＤＶＤ−Ｒなどである。ＤＶＤ−ＲＷは書換可能なので、リードイン領域に規格どおり記録されている場合が多く、この場合には、他社で記録したＤＶＤでも読み取ることができるので、本実施形態のＤＶＤレコーダ１で使用できる。ただし、ＤＶＤ−Ｒなどの追記型ディスクは、ＲＭＡ領域がいっぱいになるなどの問題が生じやすく、これを回避するために規格外の領域に記録している場合があり、他社製品のＤＶＤレコーダで記録されたこのようなディスクについては、ＤＶＤレコーダ１では読み取ることができない。したがって、この実施形態のＤＶＤレコーダ１では使用できない。また、ファイナライズされたＤＶＤ−Ｒなどの追記型ディスクは追記できず、このＤＶＤレコーダ１では使用できない。一方、ＤＶＤ−ＲＷ等書換可能な光ディスクでは、ファイナライズされていても、ファイナライズデータが記録された外周部分を書換えてブランクにすることができるので、このＤＶＤレコーダ１として使用できる。
【００１７】
なお、本実施形態の装置は、ＤＶＤに限らず、他の光ディスクを記録する装置に応用できる。
【００１８】
制御部２は、現在の時刻を管理する時計機能、さらには後述する操作用メニューを生成する機能を有している。このメニューを生成する機能は、いわゆるＯＳＤ画像を生成する機能である。
【００１９】
入力部３には、図示していないアンテナで受信されたテレビ放送信号が入力される。入力部３は、入力されているテレビ放送信号から選択されているチャンネルのテレビ放送信号を抽出するチューナを有している。入力部３は、チューナで抽出したテレビ放送信号を記録信号処理部４に入力する。すなわち、入力部３は、選択されているチャンネルで放送されているタイトルの信号を記録信号処理部４に入力する。記録信号処理部４は、入力部３から入力されたタイトルの信号がアナログ信号であれば、これをディジタル信号に変換する。記録信号処理部４は、入力されたタイトルの信号から、このタイトルの映像データ、および音声データを取得し、ここで取得した映像データ、および音声データをエンコードする。記録信号処理部４は、このエンコードしたデータをＤＶＤに記録する記録データとして記録／読取部５に入力する。
【００２０】
記録／読取部５は、ＤＶＤにレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。また、記録／読取部５は、ＤＶＤに照射するレーザ光を、このＤＶＤに記録する記録データに基づいて変調する記録制御を行う。さらに、記録／読取部５は、ＤＶＤに記録されているタイトルの記録データを読み取ったＲＦ信号を読取信号処理部６に入力する。
【００２１】
読取信号処理部６は、入力された読取信号をから抽出した映像データ、および音声データを抽出した後、これらをデコードし、デコードした映像データ、および音声データを出力部７に入力する。
【００２２】
出力部７には、映像を表示する表示装置１１や、音声を放出するスピーカ１２が接続されている。出力部７は、読取信号処理部６から入力された映像データに基づく再生映像信号と、音声データに基づく再生音声信号と、を同期させて出力する。再生映像信号は、表示装置１１に入力される。出力部７は、制御部２において生成されたタイトルメニュー画像を出力する機能も有している。また、出力部７には、再生映像信号、および再生音声信号をアナログ信号で出力するアナログ出力端子と、再生映像信号、および再生音声信号をディジタル信号で出力するディジタル出力端子と、を有している。
【００２３】
記憶部８は、記憶媒体であるハードディスク８ａ（ＨＤ８ａ）や、このハードディスクに対するデータの記録や、データの読取を行うハードディスクドライブ８ｂ（ＨＤＤ８ｂ）を有している。ＤＶＤ１０にコピーするディスクメニューの情報は、記憶部８に記録されている。
【００２４】
なお、本実施形態のＤＶＤレコーダ１では、必ずしも、ハードディスク８ａ、ハードディスクドライブ８ｂを備える必要はなく、記憶部８の構成として、ＤＶＤ１０へ記録する際に、ＤＶＤ１０にコピーする操作用メニューと製造者ＩＤとメニューレイアウトＩＤを記憶する固定メモリを備える構成でも良い。
【００２５】
操作部９は、複数の操作キーや、図示していないリモコン装置から送信されてきた装置本体に対する制御コードを受信するリモコン受信部を有している。操作部９は、ユーザにより操作された操作キーに応じたコードや、リモコン受信部で受信した制御コードを制御部２に通知する。
【００２６】
表示装置１１は、入力された再生映像信号に基づく映像を表示する。
スピーカ１２は、入力された再生音声信号に基づく音声を放出する。
【００２７】
以下、この実施形態のＤＶＤレコーダ１の動作について説明する。この実施形態のＤＶＤレコーダ１は、本体にセットされているＤＶＤにタイトルを記録することができる。このＤＶＤへのタイトルの記録については、公知のＤＶＤレコーダと略同様であるので、ここでは簡単に説明する。ＤＶＤレコーダ１は、ＤＶＤへのタイトルの記録開始にかかる入力があったときや、録画予約されているタイトルの録画開始時刻になると、ＤＶＤへのタイトルの記録を開始する。ＤＶＤに記録するタイトルは、入力部３に入力される。記録信号処理部４が、ＤＶＤに記録するタイトルの映像データ、および音声データをエンコードする。記録／読取部５は、記録信号処理部４でエンコードされたデータに基づいて、ピックアップヘッドがＤＶＤに照射するレーザ光のパルス変調や、レーザパワー等を制御する。また、今回記録したタイトルのタイトル名、記録日時、記録開始位置、記録終了位置等の情報をＤＶＤのリードイン領域に記録する。
【００２８】
本実施形態のＤＶＤレコーダ１の仕様では、新たにタイトル追加して記録する前提として、ＤＶＤ１０をマウントするＤＶＤレコーダ１と同一の会社の製品で、かつ特定のメニューが記録されたＤＶＤ１０を使用することとしている。ＤＶＤレコーダ１は、この仕様を満たさないＤＶＤ１０をマウントしたときは、新たにタイトルの書換記録または追記記録をしない。この仕様を満たすためには、ＤＶＤ１０に記録されたディスクメニューを書換える必要がある。
【００２９】
ここで、タイトルが記録されたＤＶＤ１０には、このＤＶＤレコーダの各種動作を設定する設定画面の一般情報が記録されており、ディスク上のＶＲＭＩ＿ＧＩ（video recording manager information）に記録されている。このＶＲＭＩ＿ＧＩには製造者ＩＤやメニューレイアウトＩＤなどが記録されている。前述したＤＶＤレコーダ１の仕様に従えば、ＤＶＤ１０にタイトルを追加する場合には、これらのＩＤがＤＶＤレコーダ１のものでなければ記録できない。勝手にメニュー画面が変えられるとユーザは不利益を被る恐れがあるから、この製造者ＩＤの書換をユーザに承諾させる必要がある。しかし、録画の度に承諾画面が表示されるとユーザにわずらわしさを与えてしまう。
【００３０】
図２のフロー図を用いて、この製造者ＩＤの書換を承諾するユーザのわずらわしさを解消するために制御部２が行う処理について説明する。図２は、ユーザがＤＶＤレコーダ１の動作を予め設定するためのセットアップ画面について画面移動を表すフロー図である。
【００３１】
ＳＴ１で、図２に示すように８つの設定項目を表示する。この画面の表示中に操作部９のリモコンのカーソルキー（不図示）で欄の選択を受付ける。カーソルキーを押下げすると、画面上のハイライトの部分が移動し、その欄が選択されていることが表示される。
【００３２】
図２のＳＴの「１．言語設定」では、メニューで表示する言語の設定をすることを選択できる。
「２．プレイバック」では、ユーザが記録された録画データを再生するための設定をすることを選択できる。
「３．表示設定」では、ユーザがテレビ受像機の画面の設定、画面比率１６：９などの設定をすることを選択できる。
「４．録画設定」では、ユーザが録画時の動作についての設定をすることを選択できる。
「５．時刻設定」は、現在の時刻の設定することを選択できる。
「６．チャンネル設定」では、テレビ番組を録画できるようにユーザがチャンネル設定をすることを選択できる。
「７．ディスク編集設定」では、ディスク編集の動作の設定することをユーザが選択できる。
【００３３】
図２のＳＴ１で、いずれの設定項目の選択がハイライトされた状態でも、決定キー（不図示）が押下げられた場合には、その項目の設定画面に移動する。「４．録画設定」が選択されている間に決定キー（不図示）が押下げられた場合には、ＳＴ２の画面へ移動させる。また、「８．終了」では、ユーザが選択でき初期設定動作が完了し、フローは終了する。
【００３４】
ＳＴ２では、ＳＴ１で、４が選択された場合に４つの設定項目を表示する。この画面の表示中に操作部９のリモコンのカーソルキー（不図示）で欄の選択を受付ける。
「１．自動チャプター」では、ユーザがＤＶＤ−Ｒ／ＲＷにＶｉｄｅｏモードで記録する際、指定時間毎にチャプターで自動的に区切る設定をすることを選択できる。
「２．自動ファイナライズ」では、録画終了後自動的にファイナライズする処理をするか否かをユーザが選択できる。
「３．ダビングモード」では、どの機器からどの機器へダビングするのかをユーザが選択できる。
以上いずれが選択された場合にも、決定キー（不図示）が押下げられたときは、それぞれの設定画面へ移動する。例えば、「４．ディスクメニューの自動切換え」では、後述するＳＴ３の動作をユーザが選択できる。
【００３５】
図２のＳＴ３では、製造者ＩＤの書換をユーザに承諾させるわずらわしさを回避するため、予め「４．ディスクメニューの自動書換」の動作を予め設定するための選択画面を表示する。ユーザにより「４．ディスクメニューの自動書換」モードの「１．オン」または「２．オフ」の選択が可能であり、決定キーが押下げられたときは、「１．オン」または「２．オフ」が設定され、ＳＴ１の画面に戻る。「４．ディスクメニューの自動書換」で「１．オン」または「２．オフ」が設定された場合の動作については、次の図３の説明で後述する。
【００３６】
次に、図３のフロー図を用いて、制御部２が操作部９から録画の指示または録画の予約指示を受けたときの処理について説明する。
ＳＴ１１で、制御部２は、記録／読取部５に、ＤＶＤレコーダ１にマウントされたＤＶＤから製造者ＩＤ、メニューレイアウトＩＤを読み取ることを指示して、その読み取った値からこれらのＩＤのいずれもがＤＶＤレコーダ１と同一であるかを判断する。このＩＤが同一であればＹとなり、ＳＴ１２に移動する。この場合、前述したＤＶＤレコーダ１がタイトルを追加して記録する条件である「ＤＶＤ１０をマウントするＤＶＤレコーダ１と同一の会社の製品で、かつ特定のメニューが記録されたこと」を満たす。逆に、これらのＩＤがＤＶＤレコーダ１と同一でなければＮとなり、ＳＴ１３に移動する。この場合、この条件を満たさないので、このままでは制御部２はタイトルを記録できない。
【００３７】
図３のＳＴ１２で、ＤＶＤにタイトルを新たに記録するよう記録／読取部５に指示する。ＳＴ１２に分岐するのは、ＳＴ１１、ＳＴ１３、ＳＴ１５の判断がＹとなった場合である。
ＳＴ１３は、ＤＶＤレコーダ１にマウントされたＤＶＤから読み取った製造者ＩＤ、メニューレイアウトＩＤが、ＤＶＤレコーダ１のものと異なる場合に分岐する。ＳＴ１３では、ディスクメニューの自動書換について、図２のＳ３で設定した値が「オン」になっているか判断する。このＳ３で設定した値が「オン」であればＹとなり、後述のＳＴ１４に移動してディスクメニュー等を書換える。Ｓ３で設定した値が「オフ」であれば、Ｓ１６に移動する。
ＳＴ１４で、制御部２は、記録／読取部５に対し、録画の直前に、ディスクメニュー、製造者ＩＤ、メニューレイアウトＩＤをそれぞれ現在使用中のＤＶＤレコーダ１のものに書換える指示をする。録画の直前にこれらメニュー等を書換えるのは、録画予約したときは録画するまで時間があるので、その後ユーザが録画の取りやめることもあることからである。
【００３８】
なお、書換型ＤＶＤについては、ＳＴ１４で、制御部２はこのメニュー書換と併せてファイナライズされた領域をブランクの状態に戻す。
【００３９】
図３のＳＴ１５は、前述したＩＤの条件を満たすＤＶＤが挿入された場合（ＳＴ１１のＮ）であり、かつ、図２で示した初期設定で設定したディスクメニューの自動書換がオフの場合（ＳＴ１２のＮ）に分岐する。ＳＴ１５では、このディスクメニューの書換の確認表示を表示装置１１に出力する共に、操作部によりその承諾があったか判断する。このディスクメニューの書換について承諾する旨の選択された場合にはＹとなり、ＳＴ１４に移動して、制御部２はディスクに記録されたディスクメニューを現在使用中のＤＶＤレコーダ１のものに書換える指示をする。このディスクメニューの書換について承諾しない旨選択された場合にはＮとなり、ＳＴ１６に移動する。
【００４０】
図３のＳＴ１６は、ＳＴ１５の条件を満たさないときに分岐する。ＳＴ１６では、例えば「他社製品で記録されたディスクは、このＤＶＤレコーダ専用のメニューに書換えない限り録画できません。」という警告表示を出力部７が表示装置１１に出力する。ＳＴ１６では、制御部２は録画の指示をしない。
【００４１】
以上のとおり、図３のフロー図では、製造者ＩＤが自社のものである場合（ＳＴ１１のＹ）にはそのまま追記録画を開始し、初期設定メニューで「４．ディスクメニューの自動切換え」がオンになっている場合か（ＳＴ１３のＹ）、書換確認で承諾する旨選択された場合には（ＳＴ１４のＹ）、ＳＴ１４でディスクメニューを書換えた後、録画を開始する（ＳＴ１２）。以上のいずれでもない場合には（ＳＴ１１のＮ、ＳＴ１３のＮ、ＳＴ１５のＮ）、ＳＴ１６で録画禁止の処理をする。このように、図２で示した初期設定でディスクメニューを自動的に書換える旨の選択することができるから、ユーザがこの初期設定でディスクメニュー自動的書換をオンにする限り、ＳＴ１５の確認画面が録画の度に表示されることがなく、ディスクメニューを書換えて（ＳＴ１４）、録画を開始する（ＳＴ１２）。
【００４２】
なお、録画予約をしている場合には、上述したＳＴ１１の判断、およびＳＴ１５の確認を、録画開始時だけでなく、その予約したときに行なってもよい。
【図面の簡単な説明】
【００４３】
【図１】この発明の実施形態であるＤＶＤレコーダの主要部の構成を示すブロック図
【図２】セットアップ画面について画面移動を表すフロー図
【図３】制御部が操作部から録画の指示または録画の予約指示を受けたときの処理を表すフロー図
【符号の説明】
【００４４】
１−ＤＶＤレコーダ、  ２−制御部、  ３−入力部、  ４−記録信号処理部
５−記録／読取部、  ６−読取信号処理部、  ７−出力部、  ８−記憶部
８ａ−ハードディスク（ＨＤ）、  ８ｂ−ハードディスクドライブ（ＨＤＤ）
９−操作部、  １０−ＤＶＤ、  １１−表示装置、  １２−スピーカ
【図１】
2007280482.tif 000003
【図２】
2007280482.tif 000004
【図３】
2007280482.tif 000005